(57)【特許請求の範囲】
【請求項１】
電源出力を昇圧する昇圧手段と、該昇圧手段の出力にて充電される少なくとも１つの主コンデンサと、該主コンデンサのエネルギーを光に変換する発光手段と、前記主コンデンサの充電電圧と充電完了電圧とを比較して充電電圧が充電完了電圧に達しているかを検知する充電電圧検知手段と、を有し、前記充電電圧検知手段によって充電電圧が前記充電完了電圧に達していると検知されているときのみ前記発光手段の作動を許可するストロボ装置において、
該主コンデンサの充電完了電圧として、発光が１回可能な第１の充電完了電圧と、該第１の充電完了電圧より高い、所定の発光量で所定間隔で発光を続けるマルチ発光のための、第２の充電完了電圧とを設定する充電完了電圧設定手段を有し、前記マルチ発光を行うマルチ発光モードが選択されると、充電開始時は前記充電完了電圧として、第２の充電完了電圧に設定し、前記充電電圧検知手段が第２の充電完了電圧に達したことを検出すると、充電完了電圧として前記第１の充電完了電圧を設定することを特徴とするストロボ装置。
【請求項２】
マルチ発光モードでの発光が終了すると前記充電完了電圧を第２の充電完了電圧に戻すことを特徴とする請求項１記載のストロボ装置。
【発明の詳細な説明】
【０００１】
【産業上の利用分野】
本発明はカメラのストロボ装置の発光制御に関するものである。
【０００２】
【従来の技術】
従来、所定の発光量で所定間隔に連続発光させるマルチ発光時の充電完了電圧は、マニュアル発光時と同じく所定の発光量の発光が１回可能な充電完了電圧であった。
【０００３】
【発明が解決しようとする課題】
しかしながら、上記従来例ではマニュアル発光時と同じく所定の発光量の発光が１回可能な充電完了電圧以上に設定するために、マルチ発光時の充電完了表示を表示した直後では連続発光が充分できる程度に充電電圧が上がっていないという欠点があった。
【０００４】
本出願はかかる従来の欠点に鑑みてなされたもので、その目的は、マルチ発光時の発光回数不足を解消することにある。
【０００５】
【課題を解決するための手段】
上記の目的を達成するために本発明のストロボ装置は、請求項１において、電源出力を昇圧する昇圧手段と、該昇圧手段の出力にて充電される少なくとも１つの主コンデンサと、該主コンデンサのエネルギーを光に変換する発光手段と、前記主コンデンサの充電電圧と充電完了電圧とを比較して充電電圧が充電完了電圧に達しているかを検知する充電電圧検知手段と、を有し、前記充電電圧検知手段によって充電電圧が前記充電完了電圧に達していると検知されているときのみ前記発光手段の作動を許可するストロボ装置において、該主コンデンサの充電完了電圧として、発光が１回可能な第１の充電完了電圧と、該第１の充電完了電圧より高い、所定の発光量で所定間隔で発光を続けるマルチ発光のための、第２の充電完了電圧とを設定する充電完了電圧設定手段を有し、前記マルチ発光を行うマルチ発光モードが選択されると、充電開始時は前記充電完了電圧として、第２の充電完了電圧に設定し、前記充電電圧検知手段が第２の充電完了電圧に達したことを検出すると、充電完了電圧として前記第１の充電完了電圧を設定することを特徴とするストロボ装置であり、請求項２において、マルチ発行モードでの発光が終了すると前記充電完了電圧を第２の充電完了電圧に戻すことを特徴とする請求項１記載のストロボ装置である。
【０００６】
【作用】
上記構成において、請求項１により、前記マルチ発光を行うマルチ発光モードが選択されると、充電開始時は充電完了電圧として、第１の充電完了電圧より高い、所定の発光量で所定間隔で発光を続けるマルチ発光のための、第２の充電完了電圧に設定し、充電電圧検知手段が前記第２の充電完了電圧に達したことを検出すると、前記充電完了電圧として発光が１回可能な第１の充電完了電圧に設定する。また、請求項２により、マルチ発光モードでの発光が終了すると前記充電完了電圧を第２の充電完了電圧に戻す。
【０００７】
【実施例】
図１は本発明の一実施例を示すブロック図であり、同図において、１０１は電源である電池、１０２はストロボの各手段を制御するマイクロコンピュータ、１０３はマイクロコンピュータ１０２の昇圧開始信号出力ポート（ＯＮ）からの信号で電源１０１の電位を昇圧し、主コンデンサ１２６の充電を開始する昇圧手段、１０４，１０５は主コンデンサ１２６の充電電圧を分圧する抵抗、１０６，１０７は基準電圧を分圧する抵抗、１０８，１０９は基準電圧を分圧する抵抗、１１０は抵抗１０４，１０５で分圧された主コンデンサ１２６の電位と抵抗１０６，１０７で基準電圧を分圧した電位から第２の充電完了電圧を規定するコンパレータ、１１１は抵抗１０４，１０５で分圧された主コンデンサ１２６の電位と抵抗１０８，１０９で基準電圧を分圧した電位から第１の充電完了電圧を規定するコンパレータ、１１２はマイクロコンピュータ１０２の充電完了電圧の選択信号出力ポート（ＳＥＬ）の出力を反転させるＮＯＴゲート、１１３はコンパレータ１１０の出力を反転するＮＯＴゲート、１１４はコンパレータ１１１とＮＯＴゲート１１２と１１３の出力のＡＮＤをとるＡＮＤゲート、１１５はＡＮＤゲート１１４のＨｉｇｈ出力により表示を行う第１の充電完了表示手段、１１６はコンパレータ１１０のＨｉｇｈ出力により表示を行う第２の充電完了表示手段、１１７はコンパレータ１１０とマイクロコンピュータ１０２の充電完了電圧の選択信号出力ポート（ＳＥＬ）の出力のＡＮＤをとるＡＮＤゲート、１１８はマイクロコンピュータ１０２の選択信号出力ポート（ＳＥＬ）の出力を反転するＮＯＴゲート、１１９はコンパレータ１１１とＮＯＴゲート１１８の出力のＡＮＤをとるＡＮＤゲート、１２０はＡＮＤゲート１１７とＡＮＤゲート１１９の出力ＯＲをとるＯＲゲートで、ＯＲゲート１２０の出力は、ＡＮＤゲート１２１にマイクロコンピュータ１０２の充電完了信号入力ポート（ＲＥＡＤＹ）と共に接続されている。１２１はＯＲゲート１２０とマイクロコンピュータ１０２の発光開始信号出力ポート（ＴＲＩ）の出力のＡＮＤをとるＡＮＤゲート、１２２はＡＮＤゲート１２１の出力がＬｏｗからＨｉｇｈになるとＸｅ管１２３発光を開始させる既存のトリガー手段、１２３はＸｅ管、１２４はＸｅ管１２３から所定光量の光を受光すると発光停止手段１２５に発光停止信号を出力する受光手段、１２５は受光手段１２４の発光停止信号を受けてＸｅ管１２３の発光を停止させる既存の発光停止手段、１２６は主コンデンサで昇圧手段１０３の出力とＸｅ管１２３のアノード側に接続されている。１２７はストロボ内のマイクロコンピュータ１０２の入力ポート（Ｘ）とカメラのＸ接点を結ぶ接点で、マルチ発光時の発光開始とマルチ発光時の発光終了信号をカメラからストロボに伝える。１２８はプルアップ抵抗である。
【０００８】
なお、前述の第２の充電完了レベルは、第１の充電完了レベルよりも高く、第１の充電完了レベルは１回の発光を行うことができるレベルである点、及びマルチモード、特に第２の充電完了レベル検知後にセットされる充電完了レベルとしては、上記第１の充電完了レベルまたはそのレベルよりも小レベルでもない。
【０００９】
図３は図１に示した実施例の各端子信号、発光波形を示すタイミングチャートである。以下、図３のタイミングチャートに沿って図１の動作について説明する。
【００１０】
図示していない電源スイッチを入れるとマイクロコンピュータ１０２は昇圧開始信号出力ポート（ＯＮ）にＨｉｇｈを出力して昇圧手段１０３の動作を開始させる。昇圧手段１０３は主コンデンサ１２６の充電を開始する。主コンデンサ１２６の充電電圧は抵抗１０４，１０５で分圧され、第１の充電完了電圧と第２の充電完了電圧を検出するコンパレータ１１１，１１０に入力される。主コンデンサ１２６の充電電圧が第１の充電完了電圧を越えるとコンパレータ１１１の出力はＬｏｗからＨｉｇｈに変わる。次に、主コンデンサ１２６の充電電圧が第２の充電完了電圧を越えるとコンパレータ１１０の出力はＬｏｗからＨｉｇｈに変わる。
【００１１】
第１の充電完了電圧を選択した場合、マイクロコンピュータ１０２は充電完了電圧の選択信号出力ポート（ＳＥＬ）にＬｏｗを出力する。ＡＮＤゲート１１４にはＮＯＴゲート１１２を通してＨｉｇｈ、ＡＮＤゲート１１７にはＬｏｗ、ＡＮＤゲート１１９にはＮＯＴゲート１１８を通してＨｉｇｈが入力される。
【００１２】
主コンデンサ１２６の充電電圧が第の充電完了電圧を越え、コンパレータ１１１の出力がＬｏｗからＨｉｇｈに変わるとＡＮＤゲート１１４の出力もＬｏｗからＨｉｇｈに変わり、第１の充電完了表示手段１１５に入力される。これにより第１の充電完了表示手段１１５は充電完了表示を行う。
【００１３】
また、主コンデンサ１２６の充電電圧が第２の充電完了電圧を越えるとコンパレータ１１０の出力がＬｏｗからＨｉｇｈに変わる。これにより第２の充電完了表示が表示を行い、ＮＯＴゲート１１３の出力はＨｉｇｈからＬｏｗに変わり、第１の充電完了表示は表示をやめる。主コンデンサ１２６の充電電圧が第１の充電完了電圧を越えている状態ではコンパレータ１１１の出力はＨｉｇｈであり、ＡＮＤゲート１１９の出力もＨｉｇｈになり、ＯＲゲート１２０に入力される。ＯＲゲート１２０の出力はＨｉｇｈになり、ＡＮＤゲート１２１とマイクロコンピュータ１０２の充電完了信号入力ポート（ＲＥＡＤＹ）に入力される。
【００１４】
次に、第２の充電完了電圧を選択した場合、マイクロコンピュータ１０２は充電完了電圧の選択信号出力ポート（ＳＥＬ）にＨｉｇｈを出力する。ＡＮＤゲート１１４にはＮＯＴゲート１１２を通してＬｏｗ、ＡＮＤゲート１１７にはＨｉｇｈ、ＡＮＤゲート１１９にはＮＯＴゲート１１８を通してＬｏｗが入力される。従って、主コンデンサ１２６の充電電圧が第１の充電完了電圧を越えてもＡＮＤゲート１１４の出力はＬｏｗのままである。主コンデンサ１２６の充電電圧が第２の充電完了電圧を越えるとコンパレータ１１０の出力がＬｏｗからＨｉｇｈに変わる。これにより第２の充電完了表示が表示を行う。主コンデンサ１２６の充電電圧が第２の充電完了電圧を越えている状態ではコンパレータ１１０の出力はＨｉｇｈであり、ＡＮＤゲート１１７の出力もＨｉｇｈである。従って、ＡＮＤゲート１１７のＨｉｇｈ出力によってＯＲゲート１２０の出力はＨｉｇｈになり、このＨｉｇｈ出力がマイクロコンピュータ１０２の充電完了信号入力ポート（ＲＥＡＤＹ）とＡＮＤゲート１２１に入力される。
【００１５】
主コンデンサ１２６の充電電圧が第１の充電完了電圧を越えている状態でカメラのＸ接点１２７がＯＮになるとマイクロコンピュータ１０２の入力ポート（Ｘ）にＬｏｗが入力され、マイクロコンピュータの発光開始信号出力ポート（ＴＲＩ）が所定時間ＬｏｗからＨｉｇｈになり、ＡＮＤゲート１２１の出力はＬｏｗからＨｉｇｈになり、トリガー手段１２２に入力され、Ｘｅ管１２３が発光を開始する。Ｘｅ管１２３が発光し、受光手段１２４が所定光量を受光すると発光停止手段１２５にＨｉｇｈを出力し、発光停止手段１２５がＸｅ管１２３の発光を停止させる。マルチ発光時は所定の回数の発光が終了するまで所定間隔でマイクロコンピュータの発光開始信号出力ポート（ＴＲＩ）が所定時間ＬｏｗからＨｉｇｈになり同様に所定量の発光を繰り返す。マルチ発光時の所定回数の発光終了前にＸ接点１２７がＯＮからＯＦＦになるとマイクロコンピュータ１０２の入力ポート（Ｘ）にＬｏｗからＨｉｇｈが入力され、所定の回数発光が終了していない場合でも発光を終了する。
【００１６】
図２は図１に示した実施例におけるマイクロコンピュータ１０２のマルチ発光時の動作を示すフローチャートである。以下、図２を用いて、マルチ発光時のフローについて説明する。
【００１７】
電源ＯＮ後、図示していないストロボモード選択がマルチ発光に選択されるとスタートを開始し（Ｓ２０１）、マイクロコンピュータ１０２は充電完了電圧の選択信号出力ポート（ＳＥＬ）をＨｉｇｈにする（Ｓ２０２）。次に、主コンデンサ１２６の充電電圧が第２の充電完了電圧を越えてマイクロコンピュータ１０２の充電完了信号入力ポート（ＲＥＡＤＹ）がＨｉｇｈになったか否か判断し（Ｓ２０３）、ＨｉｇｈになればＳ２０４に進み、ＬｏｗであればＳ２０３を繰り返す。次に、マイクロコンピュータ１０２は充電完了電圧の選択信号出力ポート（ＳＥＬ）をＬｏｗにする（Ｓ２０４）。そして、カメラのＸ接点１２７がＯＮになり、マイクロコンピュータ１０２の入力ポート（Ｘ）にＬｏｗが入力されたか否か判断し（Ｓ２０５）、Ｌｏｗが入力されるとＳ２０６に進み、Ｘ接点１２７がＯＦＦであるとＳ２０５を繰り返す。そして、所定時間マイクロコンピュータ１０２の発光開始信号出力ポート（ＴＲＩ）をＨｉｇｈにし、Ｓ２０７に進む（Ｓ２０６）。次に、所定回数の発光が終了したか否か判断し（Ｓ２０７）、終了すればＳ２０２に進み、所定回数が終了していなければＳ２０８に進み、カメラのＸ接点１２７がＯＦＦになってマイクロコンピュータ１０２の入力ポート（Ｘ）にＨｉｇｈが入力されたか否か判断し（Ｓ２０８）、入力ポート（Ｘ）にＨｉｇｈが入力されるとＳ２０２に進み、カメラのＸ接点１２７がＯＮのままだとＳ２０６に進んで、再びＳ２０６〜Ｓ２０８を繰り返す。
【００１８】
なお、上記の実施例においては、主コンデンサが１つの場合についての例を示したが、主コンデンサが複数個あっても差し支えない。
【００１９】
〔発明と実施例の対応〕
以上の実施例において、第１の充電完了電圧を規定するコンパレータ１１１及び第２の充電完了電圧を規定するコンパレータ１１０が、本発明の２つの充電完了電圧設定手段に相当し、また、第１の表示手段１１５及び第２の表示手段１１１が、本発明の第１，第２の充電電圧検出手段に相当する。
【００２０】
なお、以上が実施例の各構成と本発明の各構成の対応関係であるが、本発明は、これら実施例の構成に限られるものではなく、請求項で示した機能、または、実施例の構成が持つ機能が達成できる構成であればどのようなものであってもよいことは言うまでもない。
【００２１】
また、本発明は、以上の各実施例またはそれら技術要素を必要に応じて組み合わせてもよい。
【００２２】
また、本発明は、クレームまたは実施例の構成の全体若しくは一部が一つの装置を形成するようなものであっても、他の装置と結合するようなものであっても、装置を構成する要素となるようなものであってもよい。
【００２３】
また、本発明は、フィルム以外の画像記録媒体であっても適用できるものである。
【００２４】
また、本発明は、一眼レフカメラ、レンズシャッタカメラ、ビデオカメラ等種々の形態のカメラ、更にはカメラ以外の光学機器やその他の装置、更にはそれらカメラや光学機器やその他の装置に適用される装置又は、これらを構成する要素に対しても適用できるものである。
【００２５】
【発明の効果】
以上説明したように、本発明の請求項１の発明によれば、主コンデンサがマルチ発光モードで連続発光するのに充分な電圧まで充電した場合に、充電完了の表示を行うことができ、マルチ発光モードに設定されたとき、充電完了電圧を第２の充電完了電圧に設定し、充電電圧検出手段が第２の充電完了電圧に達したことを検出した後は、充電完了電圧設定手段の設定を第１の充電完了電圧に設定するので、マルチ発光の発光回数不足を解消できる。
【図面の簡単な説明】
【図１】本発明の一実施例のブロック図である。
【図２】本発明の一実施例のマイクロコンピュータ１０２のマルチ発光時のフローチャートである。
【図３】本発明の一実施例の各端子信号、発光波形を示す図である。
【符号の説明】
１０１  電源
１０２  マイクロコンピュータ
１０３  昇圧手段
１０４〜１０９，１２８  抵抗
１１０，１１１  コンパレータ
１１２，１１３，１１８  ＮＯＴゲート
１１４，１１７，１１９，１２１  ＡＮＤゲート
１１５  第１の充電完了表示手段
１１６  第２の充電完了表示手段
１２０  ＯＲゲート
１２２  トリガー手段
１２３  Ｘｅ管
１２４  受光手段
１２５  発光停止手段
１２６  主コンデンサ
１２７  Ｘ接点
【図１】
0003604743.tif 000002
【図２】
0003604743.tif 000003
【図３】
0003604743.tif 000004